(57)【要約】【課題】作業性が良好なカシメ構造を採用し、カシメ部の径方向外方への突出量を小さくすることができるブーツバンドを提供する。【解決手段】ブーツバンド１のカシメ部１３は、バンド本体１１の第一端側に位置する部位又は第一端側に係合された部位である第一部位Ｐ１と、バンド本体１１の第二端側に位置する部位又は第二端側に係合された部位である第二部位Ｐ２とを接続し、カシメによって第一部位Ｐ１と第二部位Ｐ２との離間距離を小さくすることによりバンド本体１１を縮径させる。カシメ部１３は、バンド本体１１の帯状の幅方向の一端より幅方向外側に張り出したＵ字状に形成され、Ｕ字状の両端のそれぞれを第一部位Ｐ１及び第二部位Ｐ２に接続し、カシメによってＵ字状の開口の離間距離を小さくすることにより、バンド本体を縮径させる第一カシメ部１３ａを備える。【選択図】図３
2019138437.tif 000002
【特許請求の範囲】
【請求項１】
ジョイント用ブーツの円筒部の外周面に沿って配置された帯状のバンド本体と、
前記バンド本体の第一端側に位置する部位又は前記第一端側に係合された部位である第一部位と、前記バンド本体の第二端側に位置する部位又は前記第二端側に係合された部位である第二部位とを接続し、カシメによって前記第一部位と前記第二部位との離間距離を小さくすることにより前記バンド本体を縮径させるカシメ部と、
を備え、
前記カシメ部は、
前記バンド本体の前記帯状の幅方向の一端より幅方向外側に張り出したＵ字状に形成され、前記Ｕ字状の両端のそれぞれを前記第一部位及び前記第二部位に接続し、前記カシメによって前記Ｕ字状の開口の離間距離を小さくすることにより、前記バンド本体を縮径させる第一カシメ部を備える、ブーツバンド。
【請求項２】
前記ブーツバンドは、さらに、
前記バンド本体の前記帯状の幅方向の他端より幅方向外側に張り出したＵ字状に形成され、前記Ｕ字状の両端のそれぞれを前記第一部位及び前記第二部位に接続し、前記カシメによって前記Ｕ字状の開口の離間距離を小さくすることにより、前記バンド本体を縮径させる第二カシメ部を備える、請求項１に記載のブーツバンド。
【請求項３】
前記第一部位と前記第二部位との対向領域には、前記第一部位及び前記第二部位の幅方向全範囲に亘って貫通孔が形成されている、請求項１又は２に記載のブーツバンド。
【請求項４】
前記ブーツバンドは、さらに、
前記第一部位と前記第二部位との対向領域において、前記第一部位の幅方向中央部と前記第二部位の幅方向中央部とを接続し、前記第一カシメ部に対する前記カシメに伴って変形可能である中央連結部を備える、請求項１又は２に記載のブーツバンド。
【請求項５】
前記中央連結部は、径方向内方へ突出する凸状部を備え、
前記凸状部は、前記第一カシメ部に対する前記カシメに伴って、径方向内方へ移動する、請求項４に記載のブーツバンド。
【請求項６】
前記第一カシメ部は、前記バンド本体の前記第一端側と同一径に位置する、請求項１−５の何れか一項に記載のブーツバンド。
【請求項７】
前記ブーツバンドは、さらに、
前記バンド本体の前記第一部位から径方向外方へ延び、前記第一カシメ部の前記Ｕ字状の一端に接続され、カシメ治具の一方に係合する第一柱部と、
前記バンド本体の前記第二部位から径方向外方へ延び、前記第一カシメ部の前記Ｕ字状の他端に接続され、前記カシメ治具の他方に係合する第二柱部と、
を備える、請求項１−５の何れか一項に記載のブーツバンド。
【発明の詳細な説明】
【技術分野】
【０００１】
本発明は、ブーツバンドに関するものである。
【背景技術】
【０００２】
ジョイント用ブーツを締め付けるためのブーツバンドには、種々のタイプが存在する。その一つに、特許文献１，２に記載されているようなΩタイプと呼ばれるタイプが知られている。Ωタイプのブーツバンドは、Ω状に径方向外方に突出するカシメ部をカシメ治具によって変形させることにより、バンド本体を縮径させる構造を有する。
【先行技術文献】
【特許文献】
【０００３】
【特許文献１】特開２００９−２８７６４２号公報
【特許文献２】特開２０１６−２２３４６４号公報
【発明の概要】
【発明が解決しようとする課題】
【０００４】
Ωタイプのブーツバンドは、カシメ治具によってカシメ部を挟む作業によって行うことができるため、作業性は非常に良好である。しかし、カシメ部が、バンド本体から径方向外方に突出しているため、カシメ部が、ジョイント全体の最大回転半径を規定する部位となる。つまり、カシメ部の径方向外方への突出量の分、ジョイント本体の大きさを小さくしなければならない。カシメ部の径方向外方への突出量を小さくすることができれば、ジョイント本体を大きくすることができる。そのため、カシメ部の径方向外方への突出量を小さくすることが求められる。
【０００５】
本発明は、作業性が良好なカシメ構造を採用し、カシメ部の径方向外方への突出量を小さくすることができるブーツバンドを提供することを目的とする。
【課題を解決するための手段】
【０００６】
本発明に係るブーツバンドは、ジョイント用ブーツの円筒部の外周面に沿って配置された帯状のバンド本体と、前記バンド本体の第一端側に位置する部位又は前記第一端側に係合された部位である第一部位と、前記バンド本体の第二端側に位置する部位又は前記第二端側に係合された部位である第二部位とを接続し、カシメによって前記第一部位と前記第二部位との離間距離を小さくすることにより前記バンド本体を縮径させるカシメ部と、を備える。前記カシメ部は、前記バンド本体の前記帯状の幅方向の一端より幅方向外側に張り出したＵ字状に形成され、前記Ｕ字状の両端のそれぞれを前記第一部位及び前記第二部位に接続し、前記カシメによって前記Ｕ字状の開口の離間距離を小さくすることにより、前記バンド本体を縮径させる第一カシメ部を備える。
【０００７】
第一カシメ部は、バンド本体に対して幅方向に張り出すように形成されている。従って、第一カシメ部は、バンド本体に対して径方向外方への突出量を小さくすることができる。その結果、ジョイント全体の径方向において、ブーツバンドの影響分が小さくなるため、ジョイント本体を相対的に大きくすることができる。さらに、ブーツバンドは、第一カシメ部を用いたカシメ構造を採用している。従って、作業性が良好であるため、製造コストを低減することが可能となる。
【０００８】
なお、第一部位及び第二部位は、バンド本体の一部分である場合、バンド本体とは別体の場合を含む。第一部位がバンド本体の第一端側に位置する部位は、第一部位がバンド本体の一部分である場合を意味する。第一部位がバンド本体の第一端側に係合された部位である場合は、第一部位がバンド本体とは別部材の場合を意味する。第二部位がバンド本体の第二端側に位置する部位は、第二部位がバンド本体の一部分である場合を意味する。第二部位がバンド本体の第二端側に係合された部位である場合は、第二部位がバンド本体とは別部材の場合を意味する。
【図面の簡単な説明】
【０００９】
【図１】第一実施形態のブーツバンド全体を軸方向から見た図である。
【図２】カシメ前のカシメ部近傍の拡大図であって、図１のII部分の拡大図である。
【図３】図２のIII方向から見た図である。
【図４】図２のIV−IV断面図である。
【図５】図３のＶ−Ｖ断面図である。
【図６】第一実施形態のブーツバンドにおけるカシメ後のカシメ部近傍の拡大図であり、図１のII部分の拡大図である。
【図７】図６のVII方向から見た図である。
【図８】図７のVIII−VIII断面図である。
【図９】第二実施形態のブーツバンドにおけるカシメ前のカシメ部近傍の拡大図であって、ブーツバンドのカシメ部に径方向外方から正対した図である。
【図１０】図９のＸ−Ｘ断面図である。
【図１１】第二実施形態のブーツバンドにおけるカシメ後のカシメ部近傍の拡大図であって、ブーツバンドのカシメ部に径方向外方から正対した図である。
【図１２】図１１のXII−XII断面図である。
【図１３】第三実施形態のブーツバンドにおけるカシメ前のカシメ部近傍の拡大図であって、ブーツバンドのカシメ部に径方向外方から正対した図である。
【図１４】図１３のXIV−XIV断面図である。
【図１５】第三実施形態のブーツバンドにおけるカシメ後のカシメ部近傍の拡大図であって、ブーツバンドのカシメ部に径方向外方から正対した図である。
【図１６】図１５のXVI−XVI断面図である。
【図１７】第四実施形態のブーツバンドにおけるカシメ前のカシメ部近傍の拡大図である。
【図１８】図１７のXVIII方向から見た図である。
【図１９】図１７のXIX−XIX断面図である。
【図２０】図１８のXX−XX断面図である。
【発明を実施するための形態】
【００１０】
＜１．第一実施形態＞
（１−１．ブーツバンド１の概要）
第一実施形態のブーツバンド１について、図１を参照して説明する。ブーツバンド１は、ジョイント用ブーツ７（二点鎖線にて示す）の円筒部の外周面に配置される。ブーツバンド１を縮径することによりジョイント用ブーツ７の円筒部をジョイント部材６（二点鎖線にて示す）に押し付けることにより、ブーツバンド１は、ジョイント用ブーツ７をジョイント部材６に固定するための部材である。なお、ジョイント用ブーツ７は、例えば、自動車のドライブシャフトやプロペラシャフトの等速ジョイントに適用され、ジョイント部材６の開口部を閉塞するために用いられる。
【００１１】
ブーツバンド１は、カシメ治具５によるカシメによって縮径される構造を有する。ブーツバンド１は、主として、バンド本体１１と、係合部１２と、カシメ部１３と、延伸部１４とを備える。本実施形態においては、ブーツバンド１は、鋼材等の金属材料により１本の帯状に形成された素材を、リング状に湾曲させることにより形成される。その他に、ブーツバンド１は、バンド本体１１とカシメ部１３とを別体に構成して、両者を係合により一体的に連結することも可能である。
【００１２】
バンド本体１１は、ほぼリング状且つ帯状に形成されている部分であって、ジョイント用ブーツ７の円筒部の外周面に沿って配置された部分である。バンド本体１１の第一端側、すなわち図１の時計回り方向に延びる端側は、拡径する方向に一段上昇する階段状に形成されている。さらに、バンド本体１１の第一端側には、内周面における幅方向中央に周方向に沿った溝１１ａが形成されている。溝１１ａは、延伸部１４が進入する際に、延伸部１４をガイドする機能を有する。さらに、バンド本体１１の第二端側、すなわち、図１の反時計回り方向に延びる端側には、径方向外方に突出する複数の係合爪１１ｂが設けられている。
【００１３】
係合部１２は、バンド本体１１の複数の係合爪１１ｂの径方向外方に配置されている。係合部１２は、複数の係合爪１１ｂに対して周方向に係合する複数の係合穴１２ａを有する。
【００１４】
カシメ部１３は、バンド本体１１の第一端側に位置する部位（第一部位Ｐ１）と、バンド本体１１の第二端側に係合された係合部１２の部位（第二部位Ｐ２）とを接続する。つまり、カシメ部１３は、バンド本体１１の第一端側に一体的に形成されており、バンド本体１１とは反対側に係合部１２に一体的に形成されている。そして、カシメ治具５を用いたカシメ部１３のカシメによって、第一部位Ｐ１と第二部位Ｐ２との離間距離を小さくすることによりバンド本体１１を縮径させる。
【００１５】
延伸部１４は、バンド本体１１の第二端側からバンド本体１１の延びる方向に延伸している。延伸部１４は、バンド本体１１の幅よりも小さい幅に形成されており、バンド本体１１の第二端の幅方向中央から延伸している。延伸部１４は、バンド本体１１の第一端側における溝１１ａに進入することにより、バンド本体１１の両端部がずれることを規制している。
【００１６】
なお、本実施形態においては、バンド本体１１、係合部１２、カシメ部１３及び延伸部１４が、一体部材として形成される場合を例にあげた。この他に、カシメ部１３が、バンド本体１１に対して別体に形成され、バンド本体１１の第一端側に係合された部位（係合部１２に相当する部材）に接続されるようにしてもよい。
【００１７】
さらに、本実施形態においては、バンド本体１１の第二端には係合部１２が係合し、係合部１２にカシメ部１３が接続されることとした。この他に、バンド本体１１の第二端側においても、第一端側と同様に、バンド本体１１の第二端側に位置する部位にカシメ部１３が直接一体的に形成されるようにしてもよい。この場合、ブーツバンド１は、係合部１２を有しない構造となる。つまり、ブーツバンド１が、無端リング状に形成されることになる。
【００１８】
（１−２．カシメ前のカシメ部１３の形状）
カシメ前のカシメ部１３の形状について、図２−図５を参照して説明する。図３及び図４に示すように、カシメ部１３は、第一カシメ部１３ａと第二カシメ部１３ｂとを備える。
【００１９】
第一カシメ部１３ａは、バンド本体１１の帯状の幅方向の一端（図３の上端）より幅方向外側（図３の上側）に張り出したＵ字状に形成されている。特に、第一カシメ部１３ａは、バンド本体１１の第一端側に位置する第一部位Ｐ１と同一径に位置する。つまり、第一カシメ部１３ａは、バンド本体１１から径方向外方への突出量が極めて小さい。
【００２０】
さらに、図３において、第一カシメ部１３ａのＵ字状の開口側が、バンド本体１１側を向くように形成されている。第一カシメ部１３ａは、Ｕ字状の両端のそれぞれを、バンド本体１１の第一部位Ｐ１及び係合部１２の第二部位Ｐ２に接続している。第二カシメ部１３ｂは、バンド本体１１の帯状の幅方向の他端（図３の下端）より幅方向外側（図３の下側）に張り出したＵ字状に形成されている。つまり、第二カシメ部１３ｂは、第一カシメ部１３ａに対して、第一カシメ部１３ａのＵ字状の開口側に対向している。さらに、第二カシメ部１３ｂは、バンド本体１１の第一端側に位置する第一部位Ｐ１と同一径に位置する。つまり、第二カシメ部１３ｂは、バンド本体１１から径方向外方への突出量が極めて小さい。
【００２１】
さらに、図３において、第二カシメ部１３ｂのＵ字状の開口側が、バンド本体１１側を向くように形成されている。第二カシメ部１３ｂは、Ｕ字状の両端のそれぞれを、バンド本体１１の第一部位Ｐ１及び係合部１２の第二部位Ｐ２に接続している。さらに、カシメ部１３は、第一部位Ｐ１と第二部位Ｐ２との対向領域には、第一部位Ｐ１及び第二部位Ｐ２の幅方向全範囲に亘って貫通孔１３ｃが形成されている。貫通孔１３ｃは、第一カシメ部１３ａのＵ字状の内側領域と第二カシメ部１３ｂのＵ字状の内側領域とに連通している。
【００２２】
（１−３．カシメ動作及びカシメ後のカシメ部１３の形状）
カシメ動作及びカシメ後のカシメ部１３の形状について、図２、図３、図６−図８を参照して説明する。カシメ治具５は、図２及び図３に示すように、接近離間可能な２つの移動体を有しており、各移動体に、２つずつの爪を備えている。つまり、カシメ治具５は、４つの爪を備えている。カシメ治具５の各爪が、第一カシメ部１３ａのＵ字状の開口側の周方向両外方の部位、及び、第二カシメ部１３ｂのＵ字状の開口側の周方向両外方の部位に当接するように位置決めされる。
【００２３】
この状態から、カシメ治具５の２つの移動体を接近させるように移動させる。そうすると、図６−図８に示すように、第一カシメ部１３ａは、カシメによってＵ字状の開口の離間距離を小さくするように変形する。同様に、第二カシメ部１３ｂは、カシメによってＵ字状の開口の離間距離を小さくするように変形する。これらの変形に伴って、バンド本体１１の第一部位Ｐ１と係合部１２の第二部位Ｐ２との離間距離が小さくなる。その結果、バンド本体１１が縮径される。バンド本体１１が縮径されることにより、ジョイント用ブーツ７が径方向内方に圧縮され、その結果、ジョイント用ブーツ７がジョイント部材６に固定される。
【００２４】
上述したように、第一カシメ部１３ａ及び第二カシメ部１３ｂは、バンド本体１１に対して幅方向に張り出すように形成されている。従って、第一カシメ部１３ａ及び第二カシメ部１３ｂは、バンド本体１１に対して径方向外方への突出量を小さくすることができる。その結果、ジョイント全体の径方向において、ブーツバンド１の影響分が小さくなるため、ジョイント部材６を相対的に大きくすることができる。さらに、ブーツバンド１は、第一カシメ部１３ａ及び第二カシメ部１３ｂを用いたカシメ構造を採用している。従って、作業性が良好であるため、製造コストを低減することが可能となる。
【００２５】
また、カシメ部１３は、第一カシメ部１３ａと第二カシメ部１３ｂとを備える。従って、幅方向のバランスが良く、カシメの際に、バンド本体１１が幅方向にずれることを抑制できる。従って、ブーツバンド１は、確実な締め付け力を発揮することができる。なお、カシメ部１３が、第一カシメ部１３ａを有し、第二カシメ部１３ｂを有さない構造とすることもできるが、両者を有する方が良い。
【００２６】
＜２．第二実施形態＞
第二実施形態のブーツバンド２について、図９−図１２を参照して説明する。図９及び図１０に示すように、カシメ前のカシメ部１３は、第一実施形態に対して、中央連結部１３ｄをさらに備える。つまり、カシメ部１３は、第一カシメ部１３ａ、第二カシメ部１３ｂ及び中央連結部１３ｄを備える。
【００２７】
中央連結部１３ｄは、バンド本体１１の第一部位Ｐ１と係合部１２の第二部位Ｐ２との対向領域において、第一部位Ｐ１の幅方向中央部と第二部位Ｐ２の幅方向中央部とを接続する。中央連結部１３ｄは、バンド本体１１の第一端側に位置する第一部位Ｐ１と同一径に位置するように円弧状に形成されている。さらに、中央連結部１３ｄは、第一カシメ部１３ａ及び第二カシメ部１３ｂに対するカシメに伴って変形可能である。
【００２８】
カシメ治具５によるカシメによって、ブーツバンド２は、図１１及び図１２に示すような形状となる。カシメ治具５によるカシメによって、第一カシメ部１３ａ及び第二カシメ部１３ｂのＵ字状の開口の離間距離が小さくなる際に、中央連結部１３ｄは、全長の直線距離を短くするように変形する。例えば、中央連結部１３ｄは、図１１に示すように、長手方向の中央部が膨らむように変形する。また、中央連結部１３ｄは、図１２に示すように、撓むように変形する。このとき、中央連結部１３ｄの長手方向中央部が、バンド本体１１の第二端側の外面を押圧するようにしている。さらに、中央連結部１３ｄは、長手方向に圧縮変形することもある。
【００２９】
以上のように、カシメ部１３が、第一カシメ部１３ａ及び第二カシメ部１３ｂに加えて、中央連結部１３ｄを備える。このことにより、カシメ部１３による形状保持力、すなわちバンド本体１１を縮径させた状態を維持する力が大きくなる。さらに、カシメ部１３の剛性が高くなるため、耐久性が向上する。
【００３０】
＜３．第三実施形態＞
第三実施形態のブーツバンド３について、図１３−図１６を参照して説明する。図１３及び図１４に示すように、カシメ部１３は、第二実施形態と同様に、第一カシメ部１３ａ、第二カシメ部１３ｂ、及び、中央連結部１３ｅを備える。
【００３１】
第二実施形態において、中央連結部１３ｄは、第一部位Ｐ１と同一径に位置する円弧状に形成した。第三実施形態において、中央連結部１３ｅは、第一部位Ｐ１とほぼ同一径に位置するが、長手方向中央部が径方向内方へ突出する凸状部１３ｅ１を備える。
【００３２】
カシメ治具５によるカシメによって、ブーツバンド３は、図１５及び図１６に示すような形状となる。カシメ治具５によるカシメによって、第一カシメ部１３ａ及び第二カシメ部１３ｂのＵ字状の開口の離間距離が小さくなる際に、中央連結部１３ｅは、全長の直線距離を短くするように変形する。特に、中央連結部１３ｅの凸状部１３ｅ１が、第一カシメ部１３ａ及び第二カシメ部１３ｂに対するカシメに伴って、径方向内方へさらに移動する。
【００３３】
以上のように、中央連結部１３ｅが径方向内方に突出する凸状部１３ｅ１を備える。これにより、凸状部１３ｅ１が径方向内方へ移動しやすい形状となることで、カシメの際に、凸状部１３ｅ１が、中央連結部１３ｅを径方向内方への変形するように誘導することができる。従って、中央連結部１３ｅがバンド本体１１の第二端側の外面を押さえつける機能を確実に発揮する。
【００３４】
＜４．第四実施形態＞
第四実施形態のブーツバンド４について、図１７−図２０を参照して説明する。第一実施形態に対して、カシメ部１３が、第一カシメ部１３ａ及び第二カシメ部１３ｂに加えて、第一柱部１３ｆ及び第二柱部１３ｇを備える。
【００３５】
第一柱部１３ｆは、バンド本体１１の第一部位Ｐ１から径方向外方へ延びるように形成されている。第一柱部１３ｆは、バンド本体１１の幅と同一の幅を有する。第一柱部１３ｆは、第一カシメ部１３ａのＵ字状の一端に接続され、且つ、第二カシメ部１３ｂのＵ字状の一端に接続される。第二柱部１３ｇは、バンド本体１１の第二部位Ｐ２から径方向外方へ延びるように形成されている。第二柱部１３ｇは、バンド本体１１の幅と同一の幅を有する。第二柱部１３ｇは、第一カシメ部１３ａのＵ字状の他端に接続され、且つ、第二カシメ部１３ｂのＵ字状の他端に接続される。
【００３６】
従って、第一カシメ部１３ａ及び第二カシメ部１３ｂは、第一部位Ｐ１及び第二部位Ｐ２とは異なる径に位置し、第一部位Ｐ１及び第二部位Ｐ２より径方向外方に突出している。ただし、第一カシメ部１３ａ及び第二カシメ部１３ｂの突出量は、バンド本体１１の厚み程度である。従って、本実施形態においても、第一カシメ部１３ａ及び第二カシメ部１３ｂは、バンド本体１１に対して径方向外方への突出量は十分に小さくすることができる。
【００３７】
次に、カシメ治具５ａは、図１７及び図１８に示すように、第一実施形態のカシメ治具５に比べて、幅広に形成されている。カシメ治具５ａの一方は、第一柱部１３ｆに係合する部位となり、カシメ治具５ａの他方は、第二柱部１３ｇに係合する部位となる。そして、カシメ治具５ａの両爪を接近させることにより、第一柱部１３ｆと第二柱部１３ｇとの離間距離が小さくなり、その結果、第一カシメ部１３ａ及び第二カシメ部１３ｂのＵ字状の開口の離間距離が小さくなる。このようにして、第一カシメ部１３ａ及び第二カシメ部１３ｂが、カシメによって変形する。
【００３８】
カシメ部１３が第一柱部１３ｆ及び第二柱部１３ｇを備えることにより、カシメ治具５ａを位置決めしやすくなり、作業性が良好となる。さらに、カシメ治具５ａが第一柱部１３ｆ及び第二柱部１３ｇに係合し、第一カシメ部１３ａ及び第二カシメ部１３ｂには係合しない。従って、カシメ治具５ａが、直接的に、第一カシメ部１３ａ及び第二カシメ部１３ｂに力を付与することがない。そのため、第一カシメ部１３ａ及び第二カシメ部１３ｂに、カシメ治具５ａからの過大な力が作用することを抑制できる。
【００３９】
なお、第四実施形態のカシメ部１３に、第二実施形態又は第三実施形態のカシメ部１３の中央連結部１３ｄ，１３ｅを設けるようにしてもよい。
【符号の説明】
【００４０】
１，２，３，４：ブーツバンド、  ５，５ａ：カシメ治具、  ６：ジョイント部材、  ７：ジョイント用ブーツ、  １１：バンド本体、  １１ａ：溝、  １１ｂ：係合爪、  １２：係合部、  １２ａ：係合穴、  １３：カシメ部、  １３ａ：第一カシメ部、  １３ｂ：第二カシメ部、  １３ｃ：貫通孔、  １３ｄ，１３ｅ：中央連結部、  １３ｅ１：凸状部、  １３ｆ：第一柱部、  １３ｇ：第二柱部、  １４：延伸部、  Ｐ１：第一部位、  Ｐ２：第二部位
【図１】
2019138437.tif 000003
【図２】
2019138437.tif 000004
【図３】
2019138437.tif 000005
【図４】
2019138437.tif 000006
【図５】
2019138437.tif 000007
【図６】
2019138437.tif 000008
【図７】
2019138437.tif 000009
【図８】
2019138437.tif 000010
【図９】
2019138437.tif 000011
【図１０】
2019138437.tif 000012
【図１１】
2019138437.tif 000013
【図１２】
2019138437.tif 000014
【図１３】
2019138437.tif 000015
【図１４】
2019138437.tif 000016
【図１５】
2019138437.tif 000017
【図１６】
2019138437.tif 000018
【図１７】
2019138437.tif 000019
【図１８】
2019138437.tif 000020
【図１９】
2019138437.tif 000021
【図２０】
2019138437.tif 000022